(57)【要約】液体中のイオンを定量的に測定するための方法であって、操作中に電気化学的に誘起された際にイオンを選択できる固体のコーティングを保持している導電性支持体を含む電極を用いたボルタンメトリーに、該液体を供することを含む方法が記載される。
2004537723.tif 000002
【特許請求の範囲】
【請求項１】
液体中のイオンを定量的に測定するための方法であって、操作中に電気化学的に誘起された際にイオンを選択できる固体のコーティングを保持している導電性支持体を含む電極を用いたボルタンメトリーに、該液体を供することを含む方法。
【請求項２】
固体がレドックス活性物質である、請求項１記載の方法。
【請求項３】
固体が、電気化学的に誘起された際に、イオンの可逆的取り込み／排出を受容する、請求項１または２記載の方法。
【請求項４】
固体が、電気化学的に誘起された際に、イオンの選択的な可逆的取り込み／排出を受容する、請求項３記載の方法。
【請求項５】
固体が合成金属である、請求項４記載の方法。
【請求項６】
固体が、電荷移動塩対のドナーまたはアクセプターのいずれかである、請求項１〜５のいずれか一項に記載の方法。
【請求項７】
固体が、テトラシアノキノジメタンまたはテトラチアフルバレン、あるいはそれらの類似体または誘導体である、請求項６記載の方法。
【請求項８】
支持体が、金属またはカーボンで形成されている、請求項１〜７のいずれか一項に記載の方法。
【請求項９】
固体コーティングがその上にイオン交換膜を有し、この膜が該固体によりインターカレーションされることが可能なイオンと同じ電荷のイオンを交換することができる、請求項１〜８のいずれか一項に記載の方法。
【請求項１０】
液体が、１種類を超えるアニオンか、または１種類を超えるカチオンを含有し、そして固体が、カチオン混合物中の測定すべきカチオンに対して、よりまたは最も正の中点電位を、あるいはアニオン混合物中の測定すべきアニオンに対して、よりまたは最も負の中点電位を与えるものである、請求項１〜９のいずれか一項に記載の方法。
【請求項１１】
液体が、該電極、電位差供給のための対向電極および参照電極を含むセルの中に置かれる、請求項１〜１０のいずれか一項に記載の方法。
【請求項１２】
該セルが、微小電極を形成している、請求項１１記載の方法。
【請求項１３】
該電極が、ボルタンメトリーサイクルによる測定の後にリセットされる、請求項１〜１２のいずれか一項に記載の方法。
【請求項１４】
実質的に先行記述のとおりである、請求項１記載の方法。
【請求項１５】
請求項１〜９および１２のいずれか一項記載の電極を２個以上含む装置。
【請求項１６】
液体中のイオンを定量測定するための装置であって、該液体のための容器を含み、そして該容器が請求項１〜９および１２のいずれか一項記載の電極、電位差供給のための対向電極、および場合により参照電極を含む装置。
【請求項１７】
参照電極が存在し、そして３個の電極が、単一の支持体上の三導電路系として存在する、請求項１６記載の装置。
【請求項１８】
請求項１〜９のいずれか一項で定義した電極を、１個を超えて含む、請求項１６または１７記載の装置。
【請求項１９】
少なくとも２個の導電路を含む支持体であって、１個が請求項１〜９のいずれか一項記載の電極を形成し、そして１個が電位差供給のための対向電極および参照電極を形成している支持体。
【請求項２０】
第３の導電路として参照電極を含む、請求項１９記載の支持体。
【請求項２１】
導電性支持体を含む電極であって、操作中に電気化学的に誘起された際に、イオンをインターカレートできる固体のコーティングを保持し、該固体がテトラシアノキノジメタンまたはテトラチアフルバレンではない電極。
【請求項２２】
請求項２〜９の特徴の１個以上を有する、請求項２１記載の電極。
【発明の詳細な説明】
【技術分野】
【０００１】
本発明は、液体中のイオン性物質の、定量的で選択的な測定に関する。
【０００２】
イオン類の定量的で選択的な検出の最も一般的な方法は、イオン選択性電極を用いることによってきた。これらの電極は、測定電極の前面に配置された膜におけるイオン移動により、較正液との比較により液体のイオン濃度を選択的に測定する。製造時に組み込まれた内蔵較正液を保持する装置においては、その較正液を妥当な貯蔵寿命にわたって使用に適した状態に維持するために、しばしば低温貯蔵を必要としている。このことは、明らかにこの種のシステムの不利な点である。事前較正またはなんら特別な貯蔵条件を必要とせずに、そのままで使用可能なように製造できる電極を保有することの方が、はるかに好ましいはずである。本発明は、はるかに簡単な、そしてより頑丈なイオンセンサーで、したがって伝統的なイオン選択性膜電極に比較して、より容易に、そしてより迅速に使用でき、一方ではより長い貯蔵寿命を有するセンサーの入手を可能にする。
【０００３】
本発明は、“固体状態（solid state）”電極を用いたボルタンメトリーによって、液体中のイオン類を選択的に測定するという概念に基づく。本発明により、液体中のイオンを定量的に測定するための方法であって、操作中に電気化学的に誘起された際に、一般にはイオンの取り込み／排出、またはイオンのインターカレーションによって選択ができる、固体のコーティングを保持する導電性支持体を含む電極を使用したボルタンメトリーに、該液体を供することを含む方法が提供される。このような固体を用いることにより、カチオン類、例として代表的には炭素原子が１〜６個のアルキルアンモニウムのような置換アンモニウムを含めたアンモニウム、たとえばテトラメチル−、テトラエチル−およびテトラプロピルアンモニウム、ナトリウム、カリウム、マグネシウム、カルシウム、ルビジウム、銅および鉄、それに加えて無機アニオン類、たとえば硝酸アニオン、亜硝酸アニオンおよび塩素アニオン、ならびに脂肪族または芳香族性であり得る有機アニオン類、たとえば酢酸アニオン、アスコルビン酸アニオンおよびフェノールアニオンが、これらのイオンを“トラップ”できる適切な方法を用いることで、定量的に測定できる。一般にこのことは、イオンの取り込み／排出、またはインターカレーションによって達成される。効果的には、該固体は、電荷の中和を達成するために、このようなイオンの進入／退出を許容するのに十分な、開かれた格子を所有しているであろう。したがって、以下の記述は、インターカレーション性固体（intercalating solid）と呼ばれる類の固体を指向したものになるが、別の方法によってイオン選択が可能な固体を排除していないことを認識すべきである。したがって、操作中に、電気化学的に誘起された際に、イオンの取り込み／排出過程を受容できるものであれば、いかなる固体であっても該電極の表面に使用することができる。好ましい過程は、高度の（化学的）可逆性を有するべきであり、すなわちその固体は、電気化学的に誘起された際のイオンの（化学的に）可逆性の取り込み／排出を受容する。“化学的可逆性”は、“電気化学的可逆性”すなわち電子移動とは異なり、イオンが入ったり出たりの両方向へ移動できることを意味する。さらに、好ましい過程は、他のすべてのイオンに対してよりも、ある１種類のイオン（目標とする被検体イオン）に対して（好ましくは高度の）選択性を有していなければならない。
【０００４】
本発明において使用することのできる適切な固体は、電気活性、一般にはレドックス活性のあるもので、電荷移動塩対のドナー成分またはアクセプター成分のいずれかを包含する。これらは一般に、ときに合成金属（synmetal）と呼称される化合物である。好ましくは、その固体は半導体である。特に、官能性の実質部分がシアノ基からなる種々のシアノ炭素を含有しているドナー固体は、カチオン類の検出に適している。多数のシアノ基の結果として、このシアノ炭素は、高反応性の求電子分子である。本発明に使用できる特定の例は、テトラシアノエチレン類、テトラシアノキノジメタン類（ＴＣＮＱ）、Ｎ，Ｎ′−ジシアノ−ｐ−キノジイミン（ＤＣＮＱＩ）およびＮ，７，７−トリシアノキノメタンイミン類を包含する。類似体（任意のキノン）およびこれらの多数の誘導体も使用可能であり、これに包含されるのは、ハロゲン化誘導体、たとえばテトラシアノテトラフルオロキノジメタンのようなフッ素化誘導体、アルキル化誘導体、たとえばテトラシアノキノエチレン（ＴＣＮＥ）および２，４，６，８−テトラシアノアズレンのようなメチル化誘導体、ならびに２，３−ジクロロ−５，６−ジベンゾ−１，４−キノンのような他のキノイド化合物を含めた類似体である。上記化合物の還元形態のものは、一般にカチオン類をインターカレートするが、他のインターカレーション性物質が、塩素アニオン、硝酸アニオンおよび臭素アニオンを含めたアニオン類を“トラップする”能力を有していることは評価されるであろう。アニオンをトラップできるアクセプターは、テトラチアフルバレン（ＴＴＦ）、テトラチアフルバレン類似体およびそれらの誘導体を包含するが、これには、アルキル化誘導体、たとえばテトラメチルテトラチアフルバレン（ＴＭＴＴＦ）のようなメチル置換誘導体、ならびにエチレンおよびメチレン誘導体、たとえばビス（エチレンジチオ）テトラチアフルバレン（ＥＴ）およびビス（メチレンジチオ）テトラチアフルバレン（ＢＭＤＴ−ＴＴＦ）（対応するセレンまたは他のヘテロ原子化合物を含む）が包含される。使用できる他の固体は、Ｃ60、Ｃ70、Ｃ76およびＣ84フラーレンを含めたフラーレンファミリーを包含する。使用できる他の化合物は、以下を包含する：フタロシアニン類、たとえば白金フタロシアニン、およびある種のテルル誘導体類、たとえば：
【０００５】
【化１】
2004537723.tif 000003
である。
【０００６】
さらなる詳細は、たとえばJ.Am.Chem.Soc.93,2258(1971)、97,2291(1975)および98,1596 (1976)、Synth.Met.114,209(2000)、ならびにChem.Mater.6 1378(1994)などに見ることができる。典型的には、この固体は微晶質コーティングの形態をとるが、非晶質材料を含めた他の形態を排除しない。
【０００７】
基礎になる電極の厳密な性質は、たいてい重要でない。電極は、一般に金属またはカーボンで構成されるであろうし、そして、たとえば導電性媒体をポリマーコーティングまたはインキの中に配合することによって形成される、印刷導電電極が包含される。使用に適した金属は、銀、金、白金、銅およびニッケル、および最終電極において導電性を与える他の金属類を包含する。他の選択肢として、導電性カーボンは特に有効であり得る。このカーボンは、微粒子形態、または、あるアスペクト比を典型的に有するグラファイト形態のいずれであってもよい。電極は、好ましくは微小電極である。
【０００８】
本発明の好ましい実施態様においては、膜の層、典型的にはイオン交換膜の層を、インターカレーション性固体の上に適用する。この膜の存在は、電極表面からの荷電体の溶出を遅らせるか、または妨げる。この膜はまた、試料中の無関係な固形物がインターカレーション性固体に到達するのを阻止することにも役立ち得る。イオン交換膜は、インターカレーション性固体によってインターカレートされ得るものと同種の電荷のイオンを交換できなければならない。したがって、その固体がシアノ炭素である場合は、膜はカチオン交換樹脂であるべきである。一方、合成金属がＴＴＦである場合には、アニオン交換樹脂が使用される。従来のイオン交換樹脂をこの目的に使用することができ、そして特に、Aldrich社がNafionの商品名で販売しているもののようなペルフルオロ化カチオン交換樹脂、およびポリ塩化ビニルとアニオン樹脂粉末から製造されたアニオン交換樹脂（J.Membr.Sci.187,39(2001)参照）、Neosepta AM、およびポリエステルスルホン樹脂である。
【０００９】
クラウンエーテルのようなイオノホア（ionophore）を膜上／膜中に固定して、測定したいイオン以外のイオンの通過を阻止するのが望ましいことがあり得る。
【００１０】
操作においては、作用電極を、対向電極および／または参照電極と一緒に使用する。したがって、本発明はさらに、液体中のイオンの定量測定のための装置を提供するものであって、その装置は該液体のための容器を含み、その容器は前記の電極、電位差供給のための対向電極、および参照電極を含む。特に好ましい実施態様においては、３個の電極すべてを単一センサー上に、たとえばカーボンインキを用い、電極上に３個の導電路を設けることで、形成することができる。これらのうち、作用電極になる１個の導電路上には、インターカレーション性固体の層を付着させる。第２の導電路は、電位差を印加する対向電極として作用し、一方、第３の導電路は、参照電位を供給する参照電極になる。典型的には、参照電極は銀／塩化銀のコーティングを担持する。微小電極の場合は、参照電極と対向電極を組み合わせることができ、これにより二電極装置が形成される。本発明は、さらに２個またはそれ以上の電極を含む装置も提供する。
【００１１】
本発明により、固体状態で分析のためにすぐ使用できるように用意され、これにより事前の較正試験を実施する必要なしに、そして較正液の安定性や状態を気遣うことなしに、即時に試験ができるような、事前に準備された既製品電極を保有することが可能になるのが認識されるであろう。したがって、この電極は使い捨て用にすることができる。他の選択肢として、これを再使用可能にもできるが、それは使用後に、ボルタンメトリーサイクルによって前被検液の記憶を消去するのが簡単であることによる。代表的には、１０サイクルがこの目的に十分である。４００サイクルを超える作用に曝された電極でも、わずかな性能損失しか受けていなかったことが見出されている。好ましい一つの実施態様において，電極は試験ストリップ上で提供される。
【００１２】
電極上へのインターカレーション性固体の付着は、スクリーン印刷、蒸着を含めた、機械的磨耗および圧着を包含する多様な方法によって達成可能であるが、好ましくはインターカレーション性固体の溶液を用い、ついで乾燥させる方法である。すなわち、まずインターカレーション性固体の不活性有機溶媒溶液を調製することができる。溶媒は、極性または無極性のものであってよく、インターカレーション性固体に与えるいかなる変化も最小限にするために、低沸点の溶媒が好ましい。適切な溶媒には、ジクロロメタン、アセトニトリルおよびアセトンが包含される。広範囲の濃度が有効であることが分かっており、たとえば０．１〜５０mg/mLである。電極上に付着させる溶液の実際の容積は、電極の表面積に依存するが、代表的には電極面積１００mm2に対して０．５〜２mLを塗布することができる。代表的には１０〜５０μgの付着量となるであろうが、この量は、たとえばＴＣＮＱではＭ+が１０μM未満、ＴＴＦではＸ-が２５mM未満のような低イオン濃度のものを検出する場合にはかなり低減でき、また低減すべきである。
【００１３】
同様にイオン交換樹脂も、代表的にはその膜材料の溶液または分散液から、インターカレーション性固体のコーティング上に塗布することができる。たとえばペルフルオロ化イオン交換樹脂を、水性アルコール溶液中の分散体として塗布することができる。また、たとえば機械的固定もしくは溶着により、または接着剤の使用により取り付けることが可能な、あらかじめ製造してある多孔質膜を使用することもできる。
【００１４】
液体中に存在するイオンの濃度およびイオン種を決定するためには、ボルタンメトリーのピーク位置（および／または中点位置）およびボルタンメトリーピークの分離（たとえば電位上の臨界的核形成の結果としての）を、それぞれ、たとえば線形走査ボルタンメトリーまたは電極における電位ステップクロノアンペロメトリーを用いて測定する。望ましくは、Ｈ+またはＯＨ-イオンによる妨害の可能性を回避するため、液体はおおよそ中性のｐＨ、たとえば６．５〜７．５を有しているべきである。ボルタンメトリーのピーク位置は、可逆的応答に対応した酸化および還元の２者の平均と関連する。酸化、還元または可逆中点電位のいずれかを、検出器の応答として使用してよい。好ましくは、走査速度が典型的に１０〜５００mV/sにおいて作動するよう、目的に合わせて設計したポテンショスタットを用いて測定を実施する。
【００１５】
この目的に使用できる代表的な装置は、BioAnalytical Systems社の電気化学分析装置100Aおよび100B、Radiometer Voltalab 40およびEco Chemie 社のAutolab PGSTAT100を包含する。
【００１６】
カチオン検出固体（たとえばＴＣＮＱ）についてのレドックス変換は、以下の方程式（ただしこれに限定しない）に従って生起する（例としてＴＣＮＱを使用）：
【表１】
2004537723.tif 000004
小さいカチオン、たとえばＮａ+、Ｋ+およびＲｂ+についてはｎ＝１、一方、より大きいＩ族カチオンについては別の化学量論が認められ、たとえばＣｓ+ではｘ＝３およびｎ＝２である。
【００１７】
アニオン検出固体（たとえばＴＴＦ）についてのレドックス変換は、以下の方程式（ただしこれに限定しない）に従って生起する：
ｘＴＴＦ(solid)＋ｎＸ-(aq)⇒(ＴＴＦ+)n(Ｘ-)n(ＴＴＦ)(x-n)(solid)＋ｎｅ-
ＴＴＦの場合は、固体の約４分の３が酸化されて混合原子価生成物になり、したがってハロゲンアニオンについてはｘ＝１およびｎ＝０．７１〜０．７６である。
【００１８】
両者の場合とも、被検体濃度の変化は、可逆電位（ＥR）に対して、アニオン検出固体（たとえば、以下に議論する図１参照のこと）およびカチオン検出固体（たとえば、図２参照のこと）のそれぞれつき、被検体濃度の十進法１桁の変化ごとに、Ｓだけの変化を引き起こす（すなわち、倍率１０の濃度変化が、可逆電位にＳの変化をもたらす）。典型的な合成金属について、これは以下のように表現できる：
ＥR＝Ｅ0′−Ｓｌｏｇ［イオン性被検体濃度］
（式中、Ｅ0′は、ある特定の方法についての定数であり、ＥRは、ある［イオン性被検体濃度］における可逆電位である）。
【００１９】
したがって、インターカレーション固体の応答に関する検量線のプロットを、実験的に決定することができる。たとえば、２つの与えられた濃度における可逆電位を測定することによってＳが決定でき、これによって可逆電位の測定値から濃度を決定することが可能になる。
【００２０】
異なる被検体イオンは、インターカレーション固体からの異なる電気化学的応答（たとえば可逆電位）を誘起する。それぞれのインターカレーション固体に対する異なる被検体の応答を特徴化することにより、被検体のフィンガープリントを得ることができる。
【００２１】
異なるインターカレーション固体を用いて得られた結果は、インターカレーション固体が、あるイオンを他のイオンよりも好む、すなわちイオン選択性であることを示す（たとえば図３）。混合イオン溶液を与えられると、インターカレーション固体は、これらのイオンに対して選択性の傾向を示す。この傾向として：
アニオン検出インターカレーション固体（たとえばＴＣＮＱ）は、中点電位がより正のイオンを好み；
カチオン検出インターカレーション固体（たとえばＴＴＦ）は、中点電位がより負のイオンを好む。
【００２２】
したがって、液体が１種類を超えるアニオンか、または１種類を超えるカチオンを含有している場合、その固体は、好ましくは、カチオン混合物中の測定すべきカチオンに対して、よりまたは最も正の中点電位を、あるいはアニオン混合物中の測定すべきアニオンに対して、よりまたは最も負の中点電位を与える固体である。
【００２３】
インターカレーション固体の中点電位は、多イオン溶液を与えられた場合、Nicolskyのイオン選択電極方程式（たとえば、アニオン検出固体については図４、カチオン検出固体については図５）（これに限定されない）によって記述された、混合の関係に従う。
ＥR＝ｘ＋Ｓｌｏｇ([Ａ+］＋ＫA+B+［Ｂ+］）
（式中、[Ａ+］は主イオンの濃度であり、［Ｂ+］は妨害イオンの濃度である）。
【００２４】
定数ｘおよびＳは、主イオン（Ａ+）についての検量方程式の、それぞれ交点および傾斜に相当する。ＫA,+B+は、妨害イオン（Ｂ+）に対する、電極の選択率である。この選択率は、多種の方法、たとえば“個別溶液法”により、実験的に決定することができる。
【００２５】
読み取りの前に、一般には、定常状態に対応する最低エネルギー状態になるのに役立つ予備サイクルを、ある程度実施することが望ましい。予備サイクルの間に、オストワルド熟成（または他の過程）の類が、インターカレーション性固体の構造に変化をもたらす、たとえば結晶サイズを増大させるのに役立つ。
【００２６】
したがって、本発明は、適切な感度が達成されていることを条件に、ある特定の液体中のイオンを定量測定するための即時に使用可能な手段を提供することが明らかである。一般にイオン濃度は、単一カチオンまたは単一アニオン被検体の溶液において決定することができる。しかしながら、たとえば異種イオン類の濃度が相互に大きく異なっている場合（したがって低い濃度の他種イオンは、電極において応答を生じない可能性がある）、またはインターカレーションに対するイオン類の親和性が非常に異なる場合は、多カチオンまたは多アニオン溶液から濃度を決定することも可能である。したがって、その固体を横断する動力学的および熱力学的な選択性が、別のイオンの存在下における、あるイオンの濃度決定に使用できる；イオン取り込み／排出性の固体にとって、はるかに遅い動力学特性または異なる熱力学特性を有する別のイオンの存在下においては、急速走査の実施により、ある１種類のイオンの濃度の測定ができる。たとえば、血液中のナトリウムカチオンのレベルは、代表的には約１５０mMであり、一方、カリウムカチオンのレベルは、４〜５mMである。そこで、ナトリウム濃度の測定では、カリウムによる妨害はないとみてよい。所望なら、その電極に対して単一イオンバンドを与える内蔵イオンクロマトグラフカラムを備えたフローインジェクション分析装置（ＦＩＡ）を、多イオン検出に使用することができる。
【００２７】
異なるイオンに応答する異なるインターカレーション物質を用い、異なる電極が形成されている、多電極系（ｐＨ電極も含まれる）を創出できることは、評価されるであろう。これらの異なる電極群は、単一の試験ストリップ上で提供し得る。
【００２８】
以下の例は、本発明をさらに具体的に説明する。
【００２９】
例１
カーボンインキElectrodag 423 ss(Acheson Colloids Company製)を用いて、３００μmＰＥＴフィルム上に印刷したカーボン印刷電極で、センサーを形成した。このセンサーの設計は、ＰＥＴフィルム上への導電性インキの印刷によって形成し３個の平行線導電路からなっていた。印刷した後、インキを温度９０℃で９０分間乾燥させた。
この３個の導電路は、以下を意味する。
１．上面にインターカレーション性固体を、イオン交換膜のコーティングと一緒に付着させた作用電極、
２．電位を印加する対向電極、および
３．参照電位を提供する参照電極。この参照電極は、銀／塩化銀インキのさらなるコーティングを保持する。
【００３０】
例２
ＴＣＮＱの２．５mMアセトン溶液０．５mLを、研磨（１μmアルミナ）したグラッシーカーボン電極（登録商標）＝２．５mm）の表面上にミクロピペットで滴下し、空気中で１５分間自然乾燥させた。ついで、ナフィオン(Nafion)溶液（低級脂肪族アルコール中に懸濁させたナフィオン５％原液の１０倍希釈（エタノール：水＝５０：５０）により調製）の０．５mL×２回を、上記の調製した表面上にピペットで滴下し、空気中で１時間自然乾燥させた。
ついで、作製した電極を、０．１Ｍ濃度のＫＢｒ中に浸漬して前処理し、そしてＡｇ／ＡｇＣｌに対して５００〜−１００mVの間を、負の初期掃引方向から始めて、走査速度５０mVs-1で２０サイクル処理した。その後、電極を試料溶液中に浸漬した。
【００３１】
例３
ＴＴＦの２．５mMアセトン溶液０．５mLを、研磨（１μmアルミナ）した白金電極ｒ＝０．５mm）の表面上にミクロピペットで滴下し、空気中で１５分間自然乾燥させた。作製した電極を、ついで０．１Ｍ濃度のＫＮＯ3中に浸漬して前処理し、そしてＡｇ／ＡｇＣｌに対して−１００〜３００mVの間を、正の初期掃引方向から始めて、走査速度５０mVs-1で２０サイクル処理した。その後、電極を試料溶液中に浸漬した。
【００３２】
例４
例２の電極系を、種々の濃度のＡ）ＮａＣｌ、Ｂ）ＫＣｌおよびＣ）ＲｂＣｌにつき、ＴＣＮＱにおける可逆電位対ｌｏｇ［Ｍ+］の測定に用いた。第１０サイクルから記録された可逆電位データでボルタンモグラム（v＝１００mVs-1）を得た。得られた結果を図１に示す。
【００３３】
例５
例３の電極系を、種々の濃度のＡ）Ｋ+Ｃｌ-(aq)、Ｂ）Ｋ+ＮＯ3-(aq)およびＣ）Ｋ+Ｂｒ-(aq)について、ＴＴＦにおける可逆電位対ｌｏｇ［Ｘ-］の測定に用いた。第１０サイクルから記録された可逆電位データでボルタンモグラム（v＝１００mVs-1）を得た。得られた結果を図２に示す。
【００３４】
例６
可逆電位（１Ｍ塩化ルビジウム（ＲｂＣｌ(aq)）中に浸漬した場合のＴＣＮＱの可逆電位について基準化）を、ＫＣｌ(aq)およびＲｂＣｌ(aq)含有混合イオン溶液中に浸漬したＴＣＮＱ修飾グラッシー電極（ａ＝７．２１mm、v２５mVs-1）について得た。
【表２】
2004537723.tif 000005
を実験的に得た。図４に、得られた結果（丸点  ｎ＝４）を、Nicolsky方程式による予測値（実線）と一緒に示した。明らかに良好な一致が存在した。
【００３５】
例７
可逆電位（１Ｍ濃度のＫＮＯ3(aq)に浸漬した場合のＴＴＦ可逆電位について基準化）を、ＫＢｒ(aq)およびＫＮＯ3(aq)含有混合イオン溶液中に浸漬したＴＣＮＱ修飾白金電極（ａ＝０．７８４mm、v１００mVs-1）について得た。
【表３】
2004537723.tif 000006
を実験的に得た。図５に、得られた結果（丸点  ｎ＝４）を、Nicolsky方程式による予測値（実線）と一緒に示した。明らかに良好な一致が存在した。
【００３６】
例８
グラッシーカーボン電極上に固定化（粉末磨耗による）し、Ａ）硝酸アンモニウム、Ｂ）臭化テトラエチルアンモニウム、およびＣ）硝酸アンモニウムと臭化テトラエチルアンモニウムの５０：５０混合物、の０．１Ｍ水溶液に浸漬したＴＣＮＱについて、走査速度１００mVで、サイクリックボルタンモグラムを得た。
注目されるのは、臭化テトラエチルアンモニウムについてのボルタンモグラムが、硝酸アンモニウムの存在によってほとんど影響されないことである。したがって、このことはＴＣＮＱが、テトラエチルアンモニウムイオンをアンモニウムイオンより優先することを明白に示している。したがって、テトラエチルアンモニウムイオンによって、より正の中点電位が与えられる。
【国際公開パンフレット】
2004537723.tif 000007
2004537723.tif 000008
2004537723.tif 000009
2004537723.tif 000010
2004537723.tif 000011
2004537723.tif 000012
2004537723.tif 000013
2004537723.tif 000014
2004537723.tif 000015
2004537723.tif 000016
2004537723.tif 000017
2004537723.tif 000018
2004537723.tif 000019
2004537723.tif 000020
2004537723.tif 000021
2004537723.tif 000022
2004537723.tif 000023
2004537723.tif 000024
2004537723.tif 000025
2004537723.tif 000026
【国際公開パンフレット（コレクトバージョン）】
2004537723.tif 000027
2004537723.tif 000028
【国際調査報告】
2004537723.tif 000029
2004537723.tif 000030
2004537723.tif 000031